【手続補正書】
【提出日】平成19年8月2日(2007.8.2)
【手続補正１】
【補正対象書類名】明細書
【補正対象項目名】発明の名称
【補正方法】変更
【補正の内容】
【発明の名称】ネットワーク処理システム、ネットワーク処理方法、周辺装置および記憶媒体
【手続補正２】
【補正対象書類名】明細書
【補正対象項目名】特許請求の範囲
【補正方法】変更
【補正の内容】
【特許請求の範囲】
【請求項１】 情報処理装置および周辺装置がネットワークを介して接続されたネットワーク処理システムにおいて、
前記情報処理装置は、前記周辺装置において実行されるジョブの書式情報を前記周辺装置に送信する送信手段を備え、
前記周辺装置は、前記送信手段によって送信された前記書式情報を受信する受信手段と、
前記受信した書式情報を識別するための識別情報と当該書式情報とを対応させて登録する登録手段と、
前記登録手段による登録が行なわれた後、前記識別情報が入力されるまでの間、前記書式情報に基づくジョブ以外の他のジョブの実行を制限し、前記登録手段による登録が行なわれた後、前記識別情報が入力された場合に当該識別情報と対応付けて登録されている書式情報に基づくジョブを実行するように制御する制御手段と、
を備えたことを特徴とするネットワーク処理システム。
【請求項２】  前記制御手段は、
前記書式情報に基づくジョブの処理を行った後、当該書式情報に基づくジョブ以外の他のジョブの実行を可能にすることを特徴とする請求項１記載のネットワーク処理システム。
【請求項３】  前記制御手段は、前記周辺装置がジョブを処理する際に使用する複数のリソースのうち前記書式情報に基づくジョブの処理に用いるリソース以外のリソースを使用するジョブの実行を可能にすることを特徴とする請求項１又は２に記載のネットワーク処理システム。
【請求項４】  ネットワークを介して周辺装置と情報処理装置が接続されたネットワーク処理システムにおけるネットワーク処理方法において、
前記情報処理装置は、前記周辺装置において実行されるジョブの書式情報を前記周辺装置に送信する工程を有し、
前記周辺装置は、前記送信された前記書式情報を受信する工程と、
前記受信した書式情報を識別するための識別情報と当該書式情報とを対応させて登録する工程と、
前記登録が行なわれた後、前記識別情報が入力されるまでの間、前記書式情報に基づくジョブ以外の他のジョブの実行を制限し、前記登録が行なわれた後、前記識別情報が入力された場合に当該識別情報と対応付けて登録されている書式情報に基づくジョブを実行するように制御する工程とを有することを特徴とするネットワーク処理方法。
【請求項５】  前記制御する工程では、
前記書式情報に基づくジョブの処理を行った後、当該書式情報に基づくジョブ以外の他のジョブの実行を可能にすることを特徴とする請求項４記載のネットワーク処理方法。
【請求項６】  前記制御する工程では、前記周辺装置がジョブを処理する際に使用する複数のリソースのうち前記書式情報に基づくジョブの処理に用いるリソース以外のリソースを使用するジョブの実行を可能にすることを特徴とする請求項４又は５に記載のネットワーク処理方法。
【請求項７】 周辺装置において、
前記周辺装置において実行されるジョブの書式情報を受信する受信手段と、
前記受信手段によって受信した前記書式情報を識別するための識別情報と当該書式情報とを対応させて登録する登録手段と、
前記登録手段による登録が行なわれた後、前記識別情報が入力されるまでの間、前記書式情報に基づくジョブ以外の他のジョブの実行を制限し、前記登録手段による登録が行なわれた後、前記識別情報が入力された場合に当該識別情報と対応付けて登録されている書式情報に基づくジョブを実行するように制御する制御手段と、
を備えたことを特徴とする周辺装置。
【請求項８】  前記制御手段は、前記書式情報に基づくジョブの処理を行った後、当該書式情報に基づくジョブ以外の他のジョブの実行を可能にすることを特徴とする請求項７記載の周辺装置。
【請求項９】  前記制御手段は、前記周辺装置がジョブを処理する際に使用する複数のリソースのうち前記書式情報に基づくジョブの処理に用いるリソース以外のリソースを使用するジョブの実行を可能にすることを特徴とする請求項７又は８に記載の周辺装置。
【請求項１０】  周辺装置を制御するコンピュータによって実行され、周辺装置に以下の工程を実行させるためのプログラムが格納された記憶媒体において、
前記プログラムは、
前記周辺装置において実行されるジョブの書式情報を受信する工程と、
前記受信された前記書式情報を識別するための識別情報と当該書式情報とを対応させて登録する工程と、
前記登録が行なわれた後、前記識別情報が入力されるまでの間、前記書式情報に基づくジョブ以外の他のジョブの実行を制限し、前記登録が行なわれた後、前記識別情報が入力された場合に当該識別情報と対応付けて登録されている書式情報に基づくジョブを実行するように制御する工程と、
を備えたことを特徴とする記憶媒体。
【手続補正３】
【補正対象書類名】明細書
【補正対象項目名】０００１
【補正方法】変更
【補正の内容】
【０００１】
【発明の属する技術分野】
本発明は、ＬＡＮ等のネットワーク上で動作するネットワーク処理システム、ネットワーク処理方法、周辺装置および記憶媒体に関する。
【手続補正４】
【補正対象書類名】明細書
【補正対象項目名】０００４
【補正方法】変更
【補正の内容】
【０００４】
そこで、本発明は、簡単な操作で各種の設定を伴った処理を行うことができ、また、多人数で１つのデバイスを共用する際、使用感を高めることができるネットワーク処理システム、ネットワーク処理方法、周辺装置および記憶媒体を提供することを目的とする。
【手続補正５】
【補正対象書類名】明細書
【補正対象項目名】０００５
【補正方法】変更
【補正の内容】
【０００５】
【課題を解決するための手段】
上記目的を達成するために、本発明の請求項１に記載のネットワーク処理システムは、情報処理装置および周辺装置がネットワークを介して接続されたネットワーク処理システムにおいて、前記情報処理装置は、前記周辺装置において実行されるジョブの書式情報を前記周辺装置に送信する送信手段を備え、前記周辺装置は、前記送信手段によって送信された前記書式情報を受信する受信手段と、前記受信した書式情報を識別するための識別情報と当該書式情報とを対応させて登録する登録手段と、前記登録手段による登録が行なわれた後、前記識別情報が入力されるまでの間、前記書式情報に基づくジョブ以外の他のジョブの実行を制限し、前記登録手段による登録が行なわれた後、前記識別情報が入力された場合に当該識別情報と対応付けて登録されている書式情報に基づくジョブを実行するように制御する制御手段と、を備えたことを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
請求項４に記載のネットワーク処理方法は、ネットワークを介して周辺装置と情報処理装置が接続されたネットワーク処理システムにおけるネットワーク処理方法において、前記情報処理装置は、前記周辺装置において実行されるジョブの書式情報を前記周辺装置に送信する工程を有し、前記周辺装置は、前記送信された前記書式情報を受信する工程と、前記受信した書式情報を識別するための識別情報と当該書式情報とを対応させて登録する工程と、前記登録が行なわれた後、前記識別情報が入力されるまでの間、前記書式情報に基づくジョブ以外の他のジョブの実行を制限し、前記登録が行なわれた後、前記識別情報が入力された場合に当該識別情報と対応付けて登録されている書式情報に基づくジョブを実行するように制御する工程とを有することを特徴とする。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
請求項７に記載の周辺装置は、周辺装置において、前記周辺装置において実行されるジョブの書式情報を受信する受信手段と、前記受信手段によって受信した前記書式情報を識別するための識別情報と当該書式情報とを対応させて登録する登録手段と、前記登録手段による登録が行なわれた後、前記識別情報が入力されるまでの間、前記書式情報に基づくジョブ以外の他のジョブの実行を制限し、前記登録手段による登録が行なわれた後、前記識別情報が入力された場合に当該識別情報と対応付けて登録されている書式情報に基づくジョブを実行するように制御する制御手段と、を備えたことを特徴とする。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】変更
【補正の内容】
【００１２】
請求項１０に記載の記憶媒体は、周辺装置を制御するコンピュータによって実行され、周辺装置に以下の工程を実行させるためのプログラムが格納された記憶媒体において、前記プログラムは、前記周辺装置において実行されるジョブの書式情報を受信する工程と、前記受信された前記書式情報を識別するための識別情報と当該書式情報とを対応させて登録する工程と、前記登録が行なわれた後、前記識別情報が入力されるまでの間、前記書式情報に基づくジョブ以外の他のジョブの実行を制限し、前記登録が行なわれた後、前記識別情報が入力された場合に当該識別情報と対応付けて登録されている書式情報に基づくジョブを実行するように制御する工程と、を備えたことを特徴とする。
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
【発明の実施の形態】
本発明のネットワーク処理システム、ネットワーク処理方法、周辺装置および記憶媒体の実施の形態を図面を参照しながら説明する。本実施形態では、周辺装置（デバイス）として、文書の送信・受信・スキャン・印刷を行うことが可能なファクシミリ装置に適用されたマルチファンクション装置を示す。